(57)【要約】【課題】電線を端末部より簡単に切り裂くことができ、且つ車両等に搭載した際に振動の影響によって、切り裂き方向先端部が広がることを防止できるフラット配索材を提供する。【解決手段】同一平面上で平行な線状の導体１３が同一平面の表裏側からシース１５によって絶縁被覆されるフラット配索材１１であって、少なくとも表裏いずれか一方のシース１５の表面に、導体１３に沿う方向の縦凸条２５と直交する方向の横凸条２７によって格子状の凹凸２９が形成され、隣接する導体同士の間には少なくとも２本の縦凸条２５が配設される。【選択図】図１
2012028081.tif 000002
【特許請求の範囲】
【請求項１】
同一平面上で平行な線状の導体が前記同一平面の表裏側からシースによって絶縁被覆されるフラット配索材であって、
少なくとも表裏いずれか一方の前記シースの表面に、前記導体に沿う方向の縦凸条と直交する方向の横凸条によって格子状の凹凸が形成され、
隣接する前記導体同士の間には少なくとも２本の前記縦凸条が配設されることを特徴とするフラット配索材。
【請求項２】
前記導体に沿って縦凸条が配設されることを特徴とする請求項１記載のフラット配索材。
【請求項３】
前記導体同士の間に配設される２本の縦凸条と、隣接する前記導体に沿って配設される縦凸条とが、等しいピッチで並列されていることを特徴とする請求項２記載のフラット配索材。
【請求項４】
前記縦凸条のピッチと等しいピッチで前記横凸条が並列されていることを特徴とする請求項３記載のフラット配索材。
【請求項５】
前記縦凸条の延在方向の端末部には前記横凸条が少なくとも１本分設けられていない直線部が形成されていることを特徴とする請求項１〜請求項４のいずれか１項に記載のフラット配索材。
【発明の詳細な説明】
【技術分野】
【０００１】
本発明は、同一平面上で平行な線状の導体が表裏側からシースによって絶縁被覆されるフラット配索材に関する。
【背景技術】
【０００２】
複数本の導体を二枚の絶縁保護基材で挟着して成るテープ電線において、所望の導体間で容易に切離し、分割又は分岐が容易にできるようにしたテープ電線が知られている。例えば特許文献１に開示される図５に示す電力フラットケーブル５０１は、少なくとも２本以上並列させた電線５０３と、この少なくとも２本以上の電線５０３の外周部を覆う外周部が楕円形状となるシース５０５と、このシース５０５の外周部に形成されて端末処理時に電線５０３の取り出しを容易にするための少なくとも１本以上の切り裂き溝５０７とで電力フラットケーブル５０１を構成している。
【０００３】
一方、フラット配索材には、切り裂き機能とは別に、ケーブルの表面に凹部や凸部を形成するものがある。例えば、特許文献２に開示される図６に示す平型ケーブル５０９は、並列に配置された複数本の導体５１１の上に電気絶縁層５１３及びシース５１５を有する平型ケーブル５０９の該シース５１５の片面或いは両側の表面に、空気の流通路を形成するための凹部及び／又は凸部５１７を設けて構成している。
【先行技術文献】
【特許文献】
【０００４】
【特許文献１】特開平９−２３７５２３号公報
【特許文献２】特開平９−２８２９４９号公報
【発明の概要】
【発明が解決しようとする課題】
【０００５】
しかしながら、上記した従来の電力フラットケーブル５０１は、切り裂き溝５０７を設けることで、電線５０３に沿う方向に切り裂くことを容易としているが、車両等に搭載した場合には、振動の影響により外力が切り裂き方向先端部で離反方向に作用し、切り裂き方向先端部をさらに広げる可能性があった。このため、切り裂き方向先端部の端末処理が必要となり、電線の切り裂き作業を煩雑にしていた。一方、フラット配索材には、シース５１５の表面に凸部５１７を設けたものもあるが、これは空気の流通路を形成するためのものであり、切り裂き性や切り裂き方向先端部の広がりを阻止する機能は有していなかった。
【０００６】
そこで、本発明の目的は、上記課題を解消することに係り、電線を端末部より簡単に切り裂くことができ、且つ車両等に搭載した際に振動の影響によって、切り裂き方向先端部が広がることを防止できるフラット配索材を提供し、電線の切り裂き作業の簡素化を図ることにある。
【課題を解決するための手段】
【０００７】
本発明に係る上記目的は、下記構成により達成される。
（１）  同一平面上で平行な線状の導体が前記同一平面の表裏側からシースによって絶縁被覆されるフラット配索材であって、少なくとも表裏いずれか一方の前記シースの表面に、前記導体に沿う方向の縦凸条と直交する方向の横凸条によって格子状の凹凸が形成され、隣接する前記導体同士の間には少なくとも２本の前記縦凸条が配設されることを特徴とするフラット配索材。
【０００８】
（２）  前記導体に沿って縦凸条が配設されることを特徴とする上記（１）記載のフラット配索材。
【０００９】
（３）  前記導体同士の間に配設される２本の縦凸条と、隣接する前記導体に沿って配設される縦凸条とが、等しいピッチで並列されていることを特徴とする上記（２）記載のフラット配索材。
【００１０】
（４）  前記縦凸条のピッチと等しいピッチで前記横凸条が並列されていることを特徴とする上記（３）記載のフラット配索材。
【００１１】
（５）  前記縦凸条の延在方向の端末部には前記横凸条が少なくとも１本分設けられていない直線部が形成されていることを特徴とする上記（１）〜（４）のいずれか１つに記載のフラット配索材。
【００１２】
上記（１）のフラット配索材によれば、手指により、隣接する導体同士の間が、同一平面上で離反する方向（引っ張り方向）、或いは表裏面側に離反する方向（剪断方向）に切り裂かれると、２本の縦凸条によって切り裂き方向が規制されて、縦凸条間のシースが裂け、切り裂いた左右を縦凸条に沿う綺麗な破断面で容易に電線として分離できる。切り裂かれたフラット配索材が車両等に搭載されて振動を受けると、切り裂き方向先端部に離反方向の外力（切り裂き力＞外力）が作用するが、離反する方向に沿って延在する横凸条と未分離のシースとがこの外力に抗し、切り裂き方向先端部の広がりが阻止される。
【００１３】
上記（２）のフラット配索材によれば、導体に沿って縦凸条が形成されることで、導体近傍のシースが肉厚となり、裂け目が導体に及ぶことを防止できる。また、導体近傍のシース強度が高まることで、導体間のシースに容易な切り裂き性が得られるようになる。
【００１４】
上記（３）のフラット配索材によれば、隣接する導体に沿って形成される２本の縦凸条と、その導体同士の間に配設される２本の縦凸条との合計４本の縦凸条が等ピッチで配設される。導体同士の間に配設される２本の縦凸条の間を切り裂くことで、裂け目を双方の導体から最も離れた位置で形成でき、導体の絶縁性を良好にすることができる。
【００１５】
上記（４）のフラット配索材によれば、縦凸条と横凸条が等しいピッチで並列されて、格子状の凹凸のうち、特に凹部が正方形となる。これにより、ピッチを整数ｍｍとしておけば、凹部を数えることにより、切り込み位置や切り込み深さ位置を容易に把握できるようになる。
【００１６】
上記（５）のフラット配索材によれば、端末部に、横凸条の形成されていない縦凸条のみの直線部が並列していることで、切り裂き抗力を低下させて、最初の切り裂きを容易にすることができる。特に、ナイフ等を使用した場合の最初の切り込みを入れやすくできる。
【発明の効果】
【００１７】
本発明に係るフラット配索材によれば、電線を端末部より簡単に切り裂くことができ、且つ車両等に搭載した際に振動の影響によって、切り裂き方向先端部が広がることを防止できる。この結果、切り裂き方向先端部の端末処理が不要となり、電線の切り裂き作業の簡素化を図ることができる。
【図面の簡単な説明】
【００１８】
【図１】本発明に係るフラット配索材の全体を表す斜視図である。
【図２】導体が単線もしくは撚り線であるフラット配索材の斜視図、（ｂ）は導体が平型であるフラット配索材の斜視図である。
【図３】電線が分離されたフラット配索材の斜視図である。
【図４】図３のＡ部拡大図である。
【図５】従来の切り裂き溝を有した電力フラットケーブルの正面図である。
【図６】空気の流通路を形成するための凹凸部を設けた従来の平型ケーブルの斜視図である。
【発明を実施するための形態】
【００１９】
以下、本発明の実施形態を図面を参照して説明する。
図１は本発明に係るフラット配索材の全体を表す斜視図、図２（ａ）は導体が単線もしくは撚り線であるフラット配索材の斜視図、（ｂ）は導体が平型であるフラット配索材の斜視図である。
【００２０】
フラット配索材１１は、図示しない仮想平面である同一平面上で平行な線状の導体１３が、同一平面の表裏側からシース１５によって絶縁被覆される。導体１３の材質としては銅やアルミを好適に用いることができる。導体１３は、図２（ａ）に示す単線導体１７、撚り線導体１９、図２（ｂ）に示す平型導体２１のいずれであっても良い。シース１５の材質としては塩化ビニルやポリエチレンなどを好適に用いることができる。
【００２１】
少なくとも表裏いずれか一方のシース１５の表面２３には、導体１３に沿う方向の縦凸条２５と、導体１３に直交する方向の横凸条２７とによって格子状の凹凸２９が形成されている。隣接する導体同士の間には、少なくとも２本の縦凸条２５が配設される。縦凸条２５は、導体同士の間に、２本以上配設されていても勿論良い。縦凸条２５は、その間のシース１５が切り裂かれた際、その裂け目が導体１３を被覆しているシース１５の領域に及ぶことを阻止する。つまり、切り裂き方向を規制するよう作用する。これにより、斜め裂けを排除でき、整然とした切断線で切断できるようになる。
【００２２】
また、縦凸条２５は、導体１３に沿っても配設されている。導体同士の間に配設される２本の縦凸条２５と、隣接する導体１３に沿って配設される縦凸条２５とは、等しいピッチＰで並列される。さらに、横凸条２７は、この縦凸条２５のピッチＰと等しいピッチＰで並列されている。
【００２３】
フラット配索材１１は、縦凸条２５の延在方向の端末部３３に、横凸条２７が少なくとも１本分設けられていない直線部３５が形成されている。この直線部３５は、切り裂き作業時の最初の切り込み性を良好とするためのものとなる。
【００２４】
フラット配索材１１は、例えば図示しない一対の貼り合わせロールに対して、テープ状又はシート状のシース１５を供給するとともに、両方のシース１５に貼り合わせロールの接線方向からガイドロールにより複数本の導体１３を送り込み、両方のシース１５を熱融着又は接着剤により貼り合わせて製作することができる。これにより、導体１３はシース１５と一体となる。導体１３とシース１５が一体となることにより、シース１５の切り裂き方向を規制する縦凸条２５の位置ずれを防止することができる。
【００２５】
この他、フラット配索材１１は、押し出し成形した直後のシース１５を、プレス加工によって凹凸２９の形成と同時に導体１３に挟着してもよい。また、プレス加工により凹凸２９を予め形成したシース１５を、ラミネートして導体１３に挟着してもよい。
【００２６】
次に、上記構成を有するフラット配索材１１の作用を説明する。
図３は電線３７が分離されたフラット配索材１１の斜視図、図４は図３のＡ部拡大図である。
【００２７】
フラット配索材１１は、手指により、隣接する導体１３同士の間が、同一平面上で離反する方向（引っ張り方向）、或いは表裏面側に離反する方向（剪断方向）に切り裂かれると、それぞれのシース１５は２本の縦凸条２５によって切り裂き方向が規制される。２本の縦凸条２５によって切り裂き方向が規制されることにより、縦凸条間のシース１５が裂け、切り裂いた左右を縦凸条２５に沿う綺麗な破断面３９で容易に電線３７として分離できる。
【００２８】
このようにして分岐する電線３７の形成されたフラット配索材１１は、車両等に搭載されて振動を受けると、図４に示す切り裂き方向先端部４１に離反方向の外力（切り裂き力＞外力）が作用するが、離反する方向に沿って延在する横凸条２７と未分離のシース１５とがこの外力に抗し、切り裂き方向先端部４１のそれ以上の広がりが阻止される。
【００２９】
また、導体１３に沿って縦凸条２５が形成されていることで、導体近傍のシース１５が肉厚となり、裂け目が導体１３に及ぶことを防止できる。導体近傍のシース強度が高まることで、導体間のシース１５に容易な切り裂き性が得られるようになる。
【００３０】
また、図２に示すように、隣接する導体１３に沿って形成される２本の縦凸条２５と、その導体同士の間に配設される２本の縦凸条２５との合計４本の縦凸条２５が等ピッチＰで配設される。導体同士の間に配設される２本の縦凸条２５の間を切り裂くことで、裂け目を双方の導体１３から最も離れた位置で形成でき、導体１３の絶縁性を良好にすることができる。
【００３１】
さらに、縦凸条２５と横凸条２７が等しいピッチＰで並列されて、格子状の凹凸２９のうち、特に凹部４３が正方形となる。これにより、凹部４３のピッチＰを整数ｍｍとしておけば、凹部４３を数えることにより、切り込み位置（横方向）や切り込み深さ位置（縦方向）を容易に把握できるようになる。
【００３２】
また、端末部３３に、横凸条２７の形成されていない縦凸条２５のみの直線部３５が並列していることで、切り裂き抗力を低下させて、最初の切り裂きを容易にすることができる。特に、ナイフ等を使用した場合の最初の切り込みを入れやすくできる。
【００３３】
なお、上記の例では、シース１５の表裏側に凹凸２９を設けたが、フラット配索材１１は、表裏側のいずれか一方のみに凹凸２９を形成しても、上記同様の作用を奏するものである。
【００３４】
したがって、本実施形態に係るフラット配索材１１によれば、電線３７を端末部３３より簡単に切り裂くことができ、且つ車両等に搭載した際に振動の影響によって、切り裂き方向先端部４１が広がることを防止できる。この結果、切り裂き方向先端部４１の端末処理が不要となり、電線３７の切り裂き作業の簡素化を図ることができる。
【００３５】
なお、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【符号の説明】
【００３６】
１１  フラット配索材
１３  導体
１５  シース
２３  表面
２５  縦凸条
２７  横凸条
２９  凹凸
３３  端末部
３５  直線部
４３  凹部
Ｐ  ピッチ
【図１】
2012028081.tif 000003
【図２】
2012028081.tif 000004
【図３】
2012028081.tif 000005
【図４】
2012028081.tif 000006
【図５】
2012028081.tif 000007
【図６】
2012028081.tif 000008